(57)【要約】
【課題】　送出紙を積むだけで上層から一枚ずつ送出できる送紙装置。
【解決手段】　先頭部をばねで支え、後部を支点で保持した送紙台と、一部分に切欠きの
ある送出ローラの円弧外周部を、送紙の長さに略等しくしたローラを備え、ローラに同期
したカム板はローラの切欠き部で半径が大きく、円弧外周部で半径を小さくしてあり、カ
ム板に追従するカムホロアをアーム部材に取付け、アーム部材の一部に送出紙の先端コー
ナを抑えるフックを備えて、フックに抑えられた送出紙はカム板の小径位置でカムホロア
が上昇するにつれて、アーム部材、従ってフックが上昇し送出紙が送出ローラに接し、送
出ローラの続く回転で送紙が始まり、カム板の大径位置でカムホロアが押し下げられ、従
ってフックに抑えられた送出紙が下がり一回の送紙が終わる。
【選択図】　　　　図１
0003099738.tif 000002
【実用新案登録請求の範囲】
【請求項１】
　積載紙の上層より一枚毎分離送出する送紙装置において、外周部に切欠き部分と摩擦部
材を備えた送出ローラと、前記送出ローラに同期する切欠き部で半径が大きく、他の部分
では半径を小さくしてあるカム板を、前記送出ローラとともに側板で回転自在に保持し、
前記カム板の回転に従うカムホロアと送出紙のコーナを抑えるフックを備えたアーム状の
部材を、前記側板等固定部に揺動自在に取り付けてあり、前記送出ローラに接する送紙台
の先頭部をばねで支えた送紙台の後部を回動自在に固着してある送紙装置。
【考案の詳細な説明】
【技術分野】
【０００１】
　本考案は一般的な印刷紙、事務用紙等を積み上げた最上層から順に確実に送出する装置
に関する。
【背景技術】
【０００２】
　積載紙の最上層から送出ローラで一枚ごと送りだす装置は従来から知られていたが、送
出ローラを送紙に合せて間歇駆動し送出タイミングをとる方式。また送出紙の先端を別ロ
ーラで引き出し送出ローラを空転させ、タイミングをとる方式等があったがコスト面から
も課題があった。
【０００３】
　積載紙を確実に送出する狙いから送出ローラと紙の摩擦力増大を意図して、送出ローラ
を積載紙に加圧する方式。または積載紙を載せた送紙台を強く送紙ローラに接するように
加圧する方式があったが、いずれも積載紙間の摩擦増大を招き重送が多くなる、または送
出ローラの加圧からローラに紙粉がつきやすく空送が避けられないと言った点から紙質と
の均衡をとっていた。
【０００４】
　送出ローラ方式では送出紙が比較的厚いものでは空送、薄い物では重送を防止するのに
何らかの重送空送防止が必要になり簡単な装置で確実に連続送出できる送紙装置が求めら
れていた。
【考案の開示】
【考案が解決しようとする課題】
【０００５】
　本考案は送出紙を送紙台に置くだけの操作で、一枚ずつ破損することなく送出させる無
調整の連続送紙装置の提供を目的とする。
【課題を解決するための手段】
【０００６】
　本考案は送出ローラの一部分に切欠きを設け、一回転で送出部分と非送出部分をつくり
送出ローラの回転に合せて送出部分で送出紙を上昇、非送出部分で下降させるタイミング
用カムを設けて確実に送出また非送出するようにしている。
【０００７】
　本考案は送出紙の送出長さとほぼ等しい摩擦部を持つ送出ローラで、比較的大径からロ
ーラと紙の接触角が小さくなるのと、紙とローラの接触面が長くなり紙とローラの加圧を
小さく設定できる利点が得られ、重送空送を防止する点からも有利になると言った特徴を
備える。
【考案の効果】
【０００８】
　本考案によれば、送出紙を積載するだけの操作で、上面から送出できる装置であり、送
出ローラの摩擦材を備えた外周部と、送出紙の長さを略等しくしたことから紙に対する送
出ローラの接触面が長くなり、紙とローラ間ですべりが起こり難い。送出ローラの回転を
比較的遅くできる。送出紙とローラの加圧を小さくできるので重送また空送が起こり難い
と言った効果を奏する。
【０００９】
　送出ローラを幅広にすることも、複数備えることも送出ローラの形状を順守すれば紙質
に合せて種々展開可能であり、活用実施例のようにスタンプする送紙装置では、ローラ間
で紙を押さえながらの印刷で仕上がりが安定すると言った効果を奏する。
【実施例】
【００１０】
　本考案の実施例を図１によって説明する。側板１は図示しない他方の側板と梁２及び台
３によってフレームを構成している。ガイド４は積載する送出紙Ｓの案内であり、送紙を
スムーズにする凸部５を備え、送出紙幅に合せて台３に取付けてある。本実施例の台３は
送出方向に向かって傾斜しているが必ずしも傾斜が必用なわけではない。
【００１１】
　図２及び図３を加えて説明する。送出ローラ６は軸７に固着してある。カム板８も同じ
く軸７に固着してあり、軸７は側板１に回転自在に取付けてある。送出ローラ６は切欠き
部９と、外周部１０には摩擦部材を備えている。カム板８の半径大の円弧部１１は、送出
ローラ６の切欠き部に同期している。半径小の円弧部１２は送出ローラの外周部１０に同
期するようにしてある。
【００１２】
　アーム部材１３は支点１４でガイド４に回動自在に取付けてあり、カムホロア１５は軸
１６でガイド４に取付け回転自在である。フック１７は送出紙のコーナを上面より抑え、
送出紙の分離を補助し重送防止をするものである。フック１７はアーム部材の一部であっ
て、アーム部と９０度の角度を持ち送出紙の先端コーナを後述するストッパと共に紙の送
出を規制している。
【００１３】
　穴１８はガイド４に取付けたピン１９によって、アーム部材１３の上下動範囲を規制す
るストッパを構成している。カムホロア１５は後述する送紙台と積載した送出紙及び送紙
台を支持するばね等によって、カム板８の回転を追従するようになる。しかし穴１８とピ
ン１９はカム板８によるアーム部材の上下動、言い換えると送出動作を規制するものでは
ない。
【００１４】
　板２０は、くの字形をした部材であり傾斜面２１と下部にはＬ状のひっかかり部２２を
備えている。板２０は中央部で軸２３によってガイド４に回動自在に取付けてあり、ばね
２４は側板１に取付けたピン２５との間に張設してある。後述する送紙台を押し下げると
Ｌ状ひっかかり部２２が、送紙台の突出部３０を固定し、送出紙Ｓを積載できる状態を保
つようになる。
【００１５】
　送紙台２６は後部を軸２７で回動自在に取付けてあり、先頭部のばね２８は側板１に取
付けたピン２９の間に張設してある。従って送紙台２６は送出ローラ６に引き寄せられる
が、前述の送紙台の突出部３０はＬ状ひっかかり部で送紙台を固定している。ピン３１は
カム板８に固着してあり、軸７の回転でピン３１が板２０の傾斜面２１を掃いＬ状ひっか
かり部と突出部を解除し送紙状態になる。
【００１６】
　ストッパ３２は送紙台の穴３３を貫通し台３に取付けてあり、送紙される一枚の紙Ｐは
ストッパ３２を乗り超えて送出されるようになる。検出板３４は突起部３５を備え軸３６
で側板１に回動自在に取付けられている。送紙が終了したとき突起部３５が送紙台２６の
穴３７を貫通するようにしてあり、そのとき送紙台の突出部３９が平坦部３８によって送
紙台の上昇を阻止することになりローラ６がいたずらに送紙台を擦ることが避けられる。
【００１７】
　本送出装置の活用実施例を説明する。円弧部材４０は送紙ローラと略同一の半径を持つ
部材であり任意の位置に固定できる。円弧部にはスタンプを取付けてある。インクロール
４１は軸４２に取付けてあり、ローラ４３は同じく軸４２に取付けてあって送出ローラ６
の外周部１０で駆動回転される。軸受け４４は梁２に固着してある。
【００１８】
　本考案の一連の動作を説明する。送紙台を押し下げると板２０のＬ状ひっかかり部２２
がばね２４によって、送紙台の突出部３０を固定し送出紙Ｓを積載できるようになる。こ
のとき検出板の突起部３５と送紙台の間には空間があり送出紙Ｓの積載操作の障害にはな
らないようにしてある。
【００１９】
　軸７が矢印Ｙ方向に回転を始めると、カム板のピン３１が板２０の傾斜面２１を掃うこ
とで、板２０が半時計方向に回動し、Ｌ状ひっかかり部２２と送紙台の突出部３０が解除
され送出準備が整う図２の状態になる。
【００２０】
　なおも軸７の回転が進行し、カムホロア１５にカム板８の円弧部１１がある状態では、
カムホロアに連動するアーム部材１３が、押し下げられた状態を続行中であり、アーム部
材につながるフック１７は送出紙Ｓの先端部を抑え、従って送出紙Ｓが、ばね２８に抗し
て送紙台２６を非送出状態にしている。このとき送出ローラ６は切欠き部９が送出紙Ｓと
の間に充分な隙間をつくっている。　　
【００２１】
　軸７の回転が進みカムホロア１５にカム板８の円弧部１２がくると、ばね２８によって
送紙台２６の先端が上昇し、送出ローラ６の外周部１０に送出紙Ｓが圧接し、外周部の摩
擦部材によって送紙が始まるが、前述のフック１７により紙の進行が阻止されるから、紙
が分離し最上層の紙一枚がフックとストッパを乗り越えて送出される図３の状態になる。
【００２２】
　カムホロア１５がカム板の円弧部１２を追従している間は、送出ローラの外周部１０が
送紙を続け、カム板の円弧部１１がカムホロア１５に達すると、アーム部材１３が降下し
フック１７が送出紙Ｓと送紙台を押し下げる。これに連動して送出ローラの切欠き部９が
送出紙Ｓに対面する図２の状態になる。この状態で送出ローラと送出紙Ｓの間に充分は隙
間が得られ、先の送紙に引きずられる形での誤送の懸念もない。
【００２３】
　前述のように送出非送出を繰り返し、全送出紙が無くなれば検出板３４の突起部３５が
穴３７に落ち込むことで、検出板が時計方向に回動する。次の送出に入り送紙台が上昇し
ようとするとき検出板の平坦部３８に、送紙台の突出部３９が阻止されて上昇することが
できず、送出ローラが送紙台をいたずらに擦ることが避けられる。
【００２４】
　インクを含侵したインクロール４１で、円弧部材４０に取付けたスタンプが送出ローラ
の回転と共に全送出紙に印刷できる。また円弧部材を送出ローラと略等しい形状にすれば
全長に亘った印刷も複数箇所印刷も可能になることは言うまでも無い。
【図面の簡単な説明】
【００２５】
【図１】本考案の実施例を示す斜視図で一部分破断している。
【図２】非送出時を示す模式図である。
【図３】送出開始時の模式図である。
【符号の説明】
【００２６】
　　　　　Ｓ　　送出紙を積載した物
　　　　　６　　送出ローラ
　　　　　８　　カム板
　　　　　９　　切欠き部
　　　　１０　　外周摩擦部
　　　　１１　　半径大の円弧部
　　　　１２　　半径小の円弧部
　　　　１３　　アーム部材
　　　　１４　　支点
　　　　１５　　カムホロア
　　　　１７　　フック
　　　　２６　　送紙台
　　　　２８　　ばね
【図１】
0003099738.tif 000003
【図２】
0003099738.tif 000004
【図３】
0003099738.tif 000005